【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
指定席券を発行する自動券売機と接続されるコンピュータを具備して構成される指定席券の自動券売システムにおいて、
上記自動券売機が、
指定席券を予約する指定情報を入力する入力手段と、
この入力手段で入力された指定情報を上記コンピュータに送信する第１の送信手段と、
上記コンピュータから送信される指定席情報を受信する第１の受信手段と、
この第１の受信手段で受信された指定席情報に基づいて指定席券を発行する発行手段と、
上記コンピュータが、
指定席の空席情報を記憶する記憶手段と、
上記第１の送信手段から送信される指定情報を受信する第２の受信手段と、
この第２の受信手段で受信された指定情報に対応する空席情報を上記記憶手段から読出す読出手段と、
この読出手段で読出した空席情報から予め設定された空席の選択方法に応じて指定席を選択する選択手段と、
この選択手段で選択された指定席情報を上記第１の受信手段に送信する第２の送信手段と、
を具備したことを特徴とする指定席券の自動券売システム。
【請求項２】
指定席券を発行する自動券売機と接続されるコンピュータを具備して構成される指定席券の自動券売システムにおいて、
上記自動券売機が、
指定席券を予約する指定情報を入力する入力手段と、
この入力手段で入力された指定情報を上記コンピュータに送信する第１の送信手段と、
上記コンピュータから送信される指定席情報を受信する第１の受信手段と、
この第１の受信手段で受信された指定席情報に基づいて指定席券を発行する発行手段と、
上記コンピュータが、
指定席の空席情報を記憶する記憶手段と、
この記憶手段に記憶される指定席の空席情報から指定席を選択する第１の選択方法と第２の選択方法とを切換える切換手段と、
上記第１の送信手段から送信される指定情報を受信する第２の受信手段と、
この第２の受信手段で受信された指定情報に対応する空席情報を上記記憶手段から読出す読出手段と、
この読出手段で読出した空席情報から上記切換手段で切換えられた第１の選択方法または第２の選択方法に応じて指定席を選択する選択手段と、
この選択手段で選択された指定席情報を上記第１の受信手段に送信する第２の送信手段と、
を具備したことを特徴とする指定席券の自動券売システム。
【請求項３】
指定席券を発行する自動券売機と接続されるコンピュータを具備して構成される指定席券の自動券売システムにおいて、
上記自動券売機が、
指定席券を予約する指定情報を入力する入力手段と、
この入力手段で入力された指定情報を上記コンピュータに送信する第１の送信手段と、
上記コンピュータから送信される指定席情報を受信する第１の受信手段と、
この第１の受信手段で受信された指定席情報に基づいて指定席券を発行する発行手段と、
上記コンピュータが、
指定席の空席情報を記憶する記憶手段と、
この記憶手段に記憶される指定席の空席情報から指定席を、先頭から割り当てる第１の選択方法、効率良く割り当てる第２の選択方法、分散して割り当てる第３の選択方法のいづれかを設定する設定手段と、
上記第１の送信手段から送信される指定情報を受信する第２の受信手段と、
この第２の受信手段で受信された指定情報に対応する空席情報を上記記憶手段から読出す読出手段と、
この読出手段で読出した空席情報から上記設定手段で設定された選択方法に応じて指定席を選択する選択手段と、
この選択手段で選択された指定席情報を上記第１の受信手段に送信する第２の送信手段と、
を具備したことを特徴とする指定席券の自動券売システム。
【請求項４】
指定席券を発行する自動券売機と接続されるコンピュータを具備して構成される指定席券の自動券売方法であって、
上記自動券売機が、指定席券を予約する指定情報を入力し、入力された指定情報を上記コンピュータに送信し、上記コンピュータから送信される指定席情報を受信し、受信された指定席情報に基づいて指定席券を発行し、
上記コンピュータが、指定席の空席情報を記憶し、上記送信される指定情報を受信し、受信された指定情報に対応する空席情報を読出し、この空席情報から予め設定された空席の選択方法に応じて指定席を選択し、選択された指定席情報を上記自動券売機に送信するようにしたことを特徴とする指定席券の自動券売方法。
【請求項５】
指定席券を発行する自動券売機と接続されるコンピュータを具備して構成される指定席券の自動券売方法であって、
上記自動券売機が、指定席券を予約する指定情報を入力し、入力された指定情報を上記コンピュータに送信し、上記コンピュータから送信される指定席情報を受信し、受信された指定席情報に基づいて指定席券を発行し、
上記コンピュータが、指定席の空席情報を記憶し、記憶される指定席の空席情報から指定席を選択する第１の選択方法と第２の選択方法とを切換え、上記送信される指定情報を受信し、受信された指定情報に対応する空席情報を読出し、この空席情報から上記切換えられた第１の選択方法または第２の選択方法に応じて指定席を選択し、選択された指定席情報を上記自動券売機に送信するようにしたことを特徴とする指定席券の自動券売方法。
【請求項６】
指定席券を発行する自動券売機と接続されるコンピュータを具備して構成される指定席券の自動券売方法であって、
上記自動券売機が、指定席券を予約する指定情報を入力し、入力された指定情報を上記コンピュータに送信し、上記コンピュータから送信される指定席情報を受信し、受信された指定席情報に基づいて指定席券を発行し、
上記コンピュータが、指定席の空席情報を記憶し、記憶される指定席の空席情報から指定席を、先頭から割り当てる第１の選択方法、効率良く割り当てる第２の選択方法、分散して割り当てる第３の選択方法のいづれかを設定し、上記送信される指定情報を受信し、受信された指定情報に対応する空席情報を読出し、この空席情報から上記設定された選択方法に応じて指定席を選択し、選択された指定席情報を上記自動券売機に送信するようにしたことを特徴とする指定席券の自動券売方法。
【手続補正２】
【補正対象書類名】明細書
【補正対象項目名】０００６
【補正方法】変更
【補正の内容】
【０００６】
【課題を解決するための手段】
この発明の指定席券の自動券売システムは、指定席券を発行する自動券売機と接続されるコンピュータを具備して構成される指定席券の自動券売システムにおいて、上記自動券売機が、指定席券を予約する指定情報を入力する入力手段と、この入力手段で入力された指定情報を上記コンピュータに送信する第１の送信手段と、上記コンピュータから送信される指定席情報を受信する第１の受信手段と、この第１の受信手段で受信された指定席情報に基づいて指定席券を発行する発行手段と、上記コンピュータが、指定席の空席情報を記憶する記憶手段と、上記第１の送信手段から送信される指定情報を受信する第２の受信手段と、この第２の受信手段で受信された指定情報に対応する空席情報を上記記憶手段から読出す読出手段と、この読出手段で読出した空席情報から予め設定された空席の選択方法に応じて指定席を選択する選択手段と、この選択手段で選択された指定席情報を上記第１の受信手段に送信する第２の送信手段とから構成されている。
この発明の指定席券の自動券売システムは、指定席券を発行する自動券売機と接続されるコンピュータを具備して構成される指定席券の自動券売システムにおいて、上記自動券売機が、指定席券を予約する指定情報を入力する入力手段と、この入力手段で入力された指定情報を上記コンピュータに送信する第１の送信手段と、上記コンピュータから送信される指定席情報を受信する第１の受信手段と、この第１の受信手段で受信された指定席情報に基づいて指定席券を発行する発行手段と、上記コンピュータが、指定席の空席情報を記憶する記憶手段と、この記憶手段に記憶される指定席の空席情報から指定席を選択する第１の選択方法と第２の選択方法とを切換える切換手段と、上記第１の送信手段から送信される指定情報を受信する第２の受信手段と、この第２の受信手段で受信された指定情報に対応する空席情報を上記記憶手段から読出す読出手段と、この読出手段で読出した空席情報から上記切換手段で切換えられた第１の選択方法または第２の選択方法に応じて指定席を選択する選択手段と、この選択手段で選択された指定席情報を上記第１の受信手段に送信する第２の送信手段とから構成されている。
この発明の指定席券の自動券売システムは、指定席券を発行する自動券売機と接続されるコンピュータを具備して構成される指定席券の自動券売システムにおいて、上記自動券売機が、指定席券を予約する指定情報を入力する入力手段と、この入力手段で入力された指定情報を上記コンピュータに送信する第１の送信手段と、上記コンピュータから送信される指定席情報を受信する第１の受信手段と、この第１の受信手段で受信された指定席情報に基づいて指定席券を発行する発行手段と、上記コンピュータが、指定席の空席情報を記憶する記憶手段と、この記憶手段に記憶される指定席の空席情報から指定席を、先頭から割り当てる第１の選択方法、効率良く割り当てる第２の選択方法、分散して割り当てる第３の選択方法のいづれかを設定する設定手段と、上記第１の送信手段から送信される指定情報を受信する第２の受信手段と、この第２の受信手段で受信された指定情報に対応する空席情報を上記記憶手段から読出す読出手段と、この読出手段で読出した空席情報から上記設定手段で設定された選択方法に応じて指定席を選択する選択手段と、この選択手段で選択された指定席情報を上記第１の受信手段に送信する第２の送信手段とから構成されている。
この発明の指定席券の自動券売方法は、指定席券を発行する自動券売機と接続されるコンピュータを具備して構成される指定席券の自動券売方法であって、上記自動券売機が、指定席券を予約する指定情報を入力し、入力された指定情報を上記コンピュータに送信し、上記コンピュータから送信される指定席情報を受信し、受信された指定席情報に基づいて指定席券を発行し、上記コンピュータが、指定席の空席情報を記憶し、上記送信される指定情報を受信し、受信された指定情報に対応する空席情報を読出し、この空席情報から予め設定された空席の選択方法に応じて指定席を選択し、選択された指定席情報を上記自動券売機に送信するようにしたことを特徴とする。
この発明の指定席券の自動券売方法は、指定席券を発行する自動券売機と接続されるコンピュータを具備して構成される指定席券の自動券売方法であって、上記自動券売機が、指定席券を予約する指定情報を入力し、入力された指定情報を上記コンピュータに送信し、上記コンピュータから送信される指定席情報を受信し、受信された指定席情報に基づいて指定席券を発行し、上記コンピュータが、指定席の空席情報を記憶し、記憶される指定席の空席情報から指定席を選択する第１の選択方法と第２の選択方法とを切換え、上記送信される指定情報を受信し、受信された指定情報に対応する空席情報を読出し、この空席情報から上記切換えられた第１の選択方法または第２の選択方法に応じて指定席を選択し、選択された指定席情報を上記自動券売機に送信するようにしたことを特徴とする。
この発明の指定席券の自動券売方法は、指定席券を発行する自動券売機と接続されるコンピュータを具備して構成される指定席券の自動券売方法であって、上記自動券売機が、指定席券を予約する指定情報を入力し、入力された指定情報を上記コンピュータに送信し、上記コンピュータから送信される指定席情報を受信し、受信された指定席情報に基づいて指定席券を発行し、上記コンピュータが、指定席の空席情報を記憶し、記憶される指定席の空席情報から指定席を、先頭から割り当てる第１の選択方法、効率良く割り当てる第２の選択方法、分散して割り当てる第３の選択方法のいづれかを設定し、上記送信される指定情報を受信し、受信された指定情報に対応する空席情報を読出し、この空席情報から上記設定された選択方法に応じて指定席を選択し、選択された指定席情報を上記自動券売機に送信するようにしたことを特徴とする。